(57)【特許請求の範囲】
【請求項１】
両端に開口し軸方向の全長にわたって略一定の横断面形状を有する略直線状の内部管路を有するシリンダを備え、
前記シリンダが、前記軸方向の少なくとも一部に、該軸方向に沿う分割面によって分割され、開閉可能に設けられた開閉構造部と、
前記内部管路の先端部を構成する管状のノズルを有する注入器本体と、
前記注入器本体と前記開閉構造部との間に両者に設けられた部分的な前記内部管路どうしが一致するように、両者を位置決めする位置決め手段と、を備え、
前記分割面の少なくとも１つに、前記内部管路の一部を構成する溝が設けられ、
前記注入器本体に、前記開閉構造部が着脱可能に設けられ、
前記開閉構造部に、前記内部管路の一部を構成する内部管路部が、一方向に間隔をあけて複数並列して設けられるとともに、
該開閉構造部が、前記注入器本体に対して、前記内部管路部の並列方向に移動可能に設けられている医療用ペースト注入器。
【発明の詳細な説明】
【技術分野】
【０００１】
本発明は、骨欠損部や骨折部に対してペースト状の人工骨補填材などの医療用ペーストを注入するための医療用ペースト注入器に関するものである。
【背景技術】
【０００２】
骨粗鬆症による骨折や骨腫瘍等により生じた骨欠損部や骨折部に対して、その補修又は固定等のために、リン酸カルシウム系粉体を主成分とするペースト状の人工骨補填材（以下、単に「骨補填材」という）を注入する治療方法が知られている。
骨欠損部や骨折部に骨補填材を注入する際に用いる医療用ペースト注入器として、一端に開口部を有し骨補填材を収容する筒型のシリンダと、シリンダの他端に設けられシリンダよりも小径の注入管と、シリンダの内周面に嵌合するプランジャと、を備えたものが知られている（例えば、特許文献１、非特許文献１）。このような医療用ペースト注入器では、シリンダの開口部からシリンダ内に骨補填材を収容し、シリンダ内でプランジャを開口部側から注入管側に移動させることにより、シリンダ内に収容された骨補填材を注入管の先端から吐出させて、骨欠損部や骨折部に注入する。
【先行技術文献】
【特許文献】
【０００３】
【特許文献１】特開２００５−１１８４３６号公報
【非特許文献】
【０００４】
【非特許文献１】２００７年１０月１日改訂（第５版）Ｄ５  医療機器許可番号１３Ｂ１Ｘ００３１０１００００１  器５８整形用器具器械  一般用医療機器  手動式整形外科用セメントディスペンサ  ３５８０９００１  バイオペックス（登録商標）専用ガン  取扱説明書
【発明の概要】
【発明が解決しようとする課題】
【０００５】
しかしながら、このような医療用ペースト注入器では、骨補填材などの医療用ペーストの粘性が高い場合には、シリンダ内に医療用ペーストを収容することが困難となるという問題がある。また、注入管の径がシリンダの径よりも小径であることから、シリンダ内の医療用ペーストを注入管から吐出させる際に、シリンダと注入管との境界部が抵抗となって、プランジャを移動させるために多大な力を要するという問題もある。
【０００６】
本発明は、このような事情に鑑みてなされたものであって、粘性が高い医療用ペーストであっても、容易に収容かつ吐出することができる医療用ペースト注入器を提供することを目的とする。
【課題を解決するための手段】
【０００７】
上記目的を達成するために、本発明は以下の手段を提供する。
本発明の一態様は、両端に開口し軸方向の全長にわたって略一定の横断面形状を有する略直線状の内部管路を有するシリンダを備え、前記シリンダが、前記軸方向の少なくとも一部に、該軸方向に沿う分割面によって分割され、開閉可能に設けられた開閉構造部と、前記内部管路の先端部を構成する管状のノズルを有する注入器本体と、前記注入器本体と前記開閉構造部との間に両者に設けられた部分的な前記内部管路どうしが一致するように、両者を位置決めする位置決め手段と、を備え、前記分割面の少なくとも１つに、前記内部管路の一部を構成する溝が設けられ、前記注入器本体に、前記開閉構造部が着脱可能に設けられ、前記開閉構造部に、前記内部管路の一部を構成する内部管路部が、一方向に間隔をあけて複数並列して設けられるとともに、該開閉構造部が、前記注入器本体に対して、前記内部管路部の並列方向に移動可能に設けられている医療用ペースト注入器である。
【０００８】
本発明によれば、シリンダに医療用ペーストを収容する場合に、シリンダに設けられた開閉構造部を分割面によって分割して開状態とし、分割面に設けられた溝に医療用ペーストを充填する。溝に医療用ペーストを充填することは、内部管路の軸方向への医療用ペーストの押し出しを伴わないので、医療用ペーストの粘性が高い場合や内部管路の径が極めて小径の場合であっても容易に行うことができる。そして、開閉構造部を閉状態とすることにより、医療用ペーストが充填された溝が閉じられて、内部管路が構成される。すなわち、溝に医療用ペーストを充填させた後に開閉構造部を閉状態とすることで内部管路に医療用ペーストを容易に充填することができる。また、内部管路は、全長にわたって略一定の横断面形状且つ略直線状であることから、プランジャを用いて内部管路内の医療用ペーストを押し出す際に、抵抗となる部分がなく、医療用ペーストの粘性が高い場合であっても、容易に医療用ペーストを押し出すことができる。
【０００９】
内部管路の先端部を構成する管状のノズルを有する注入器本体を備え、該注入器本体に、前記開閉構造部が着脱可能に設けられていることで、注入器本体から開閉構造部を取り外した状態で医療用ペーストの充填作業を行うことができる。また、注入器本体と開閉構造部とを分離した状態で洗浄や滅菌を容易に行うことができる。また、開閉構造部をシリンダの軸方向全長とすることができ、この場合には、開閉構造部の溝に医療用ペーストを充填することがより容易となる。さらに、シリンダとノズルとを異なる素材で形成することができるため、例えば、ノズルにのみ可撓性を持たせることができる。
【００１０】
前記注入器本体と前記開閉構造部との間に、両者に設けられた部分的な前記内部管路どうしが一致するように、両者を位置決めする位置決め手段を備えることで、シリンダの内部管路と注入器の内部管路が略直線上に位置決めされるので、注入器本体に対する開閉構造部の取り付けを容易にすることができる。
【００１１】
前記開閉構造部に、前記内部管路の一部を構成する内部管路部が、一方向に間隔をあけて複数並列して設けられるとともに、該開閉構造部が、前記注入器本体に対して、前記内部管路部の並列方向に移動可能に設けられていることで、予め複数の溝の全てに医療用ペーストを充填させることが出来るので、充分な量の医療用ペーストをシリンダに収容することができる。また、開閉構造部を内部管路の並列方向に移動させることにより、複数の溝に収容された医療用ペーストを連続的に押し出すことができる。
【発明の効果】
【００１２】
本発明によれば、粘性が高い医療用ペーストであっても、容易に収容かつ吐出することができるという効果を奏する。
【図面の簡単な説明】
【００１３】
【図１】本発明の第１の実施形態に係る医療用ペースト注入器を示す斜視図である。
【図２】本発明の第１の実施形態の変形例にかかる医療用ペースト注入器を示す斜視図である。
【図３】本発明の第２の実施形態に係る医療用ペースト注入器のシリンダを示す斜視図である。
【図４】本発明の第２の実施形態に係る医療用ペースト注入器のシリンダを示す斜視図である。
【図５】本発明の第２の実施形態に係る医療用ペースト注入器のシリンダを示す斜視図である。
【図６】本発明の第２の実施形態に係る医療用ペースト注入器を示す斜視図である。
【図７】本発明の第２の実施形態に係る医療用ペースト注入器を示す斜視図である。
【図８】本発明の第２の実施形態に係る医療用ペースト注入器を示す斜視図である。
【図９】本発明の第２の実施形態に係る医療用ペースト注入器を示す部分断面図である。
【図１０】本発明の第２の実施形態に係る医療用ペースト注入器を示す部分断面図である。
【図１１】本発明の第２の実施形態に係る医療用ペースト注入器を示す部分断面図である。
【図１２】本発明の第２の実施形態の他の例に係る医療用ペースト注入器を示す部分断面図である。
【図１３】本発明の第２の実施形態の変形例に係る医療用ペースト注入器を示す部分断面図である。
【図１４】本発明の第２の実施形態の変形例に係る医療用ペースト注入器を示す部分断面図である。
【図１５】本発明の第３の実施形態に係る医療用ペースト注入器を示す部分断面図である。
【図１６】本発明の第３の実施形態に係る医療用ペースト注入器を示す部分断面図である。
【発明を実施するための形態】
【００１４】
（第１の実施形態）
本発明の第１の実施形態に係る医療用ペースト注入器について、図面を参照して説明する。
本実施形態に係る医療用ペースト注入器は、図１に示すように、リン酸カルシウム系粉体を主成分とするペースト状人工骨補填材（以下、「骨補填材」という）などの医療用ペーストを収容するシリンダ１０と、シリンダ１０の収容物である医療用ペーストを押し出すプランジャ１３とを備えている。
【００１５】
図１に示すように、シリンダ１０は、両端が開口した略円筒形状をなしており、軸方向の全長にわたって一定の円形状断面の内部管路１１を有している。シリンダ１０の基端側には、フランジ１２が設けられている。
【００１６】
シリンダ１０の軸方向の一部には、開閉構造部１６が設けられている。開閉構造部１６は、軸方向に沿う分割面１４ａ，１４ｂによって軸方向に分割されており、分割面１４ａ，１４ｂによって分割された一方（図１における上部）が、他方に対して図示しない蝶番により開閉可能に設けられている。何れの分割面１４ａ，１４ｂにも断面半円形状の溝１５ａ，１５ｂが夫々設けられている。開閉構造部１６の閉状態において、分割面１４ａと分割面１４ｂとを密着させると、溝１５ａ，１５ｂにより内部管路１１の一部が構成されるようになっている。
プランジャ１３は、フランジ１２側の開口から内部管路１１に挿入され先端側の開口から収容物を押し出すようになっている。
【００１７】
このように構成された本実施形態にかかる医療用ペースト注入器の作用を説明する。本実施形態に係る医療用ペースト注入器を用いて、例えば、骨補填材を骨欠損部や骨折部に注入する場合には、まず、骨補填材をシリンダ１０の内部管路１１に収容する。このとき、開閉構造部１６を開状態として溝１５ａ，１５ｂを露出させ、溝１５ａ，１５ｂに骨補填材を充填する。溝１５ａ，１５ｂに骨補填材が充填された状態で、開閉構造部１６を閉状態として、分割面１４a，１４ｂを密着させる。これにより、溝１５ａと溝１５ｂとにより構成される内部管路１１の一部に骨補填材が充填されることとなる。
【００１８】
次いで、内部管路１１内に、フランジ１２が設けられた開口側からプランジャ１３を挿入し、プランジャ１３を先端側に移動させることにより、先端側の開口から骨補填材を押し出す。このようにすることで、内部管路１１の先端側が、骨欠損部や骨折部に対する注入用のノズルとして機能する。
【００１９】
このように構成された医療用ペースト注入器によれば、開閉構造部１６を開いた状態で、溝１５ａ，１５ｂは、軸方向に直交する方向に開口されているため、狭い内部管路１１に対して骨補填材を軸方向に押し入れる作業を行うことなく、溝に対して容易に骨補填材を充填することができる。さらに、開閉構造部１６を閉状態とすることで、溝１５ａと溝１５ｂとが一体化し内部管路１１が形成されるため、溝１５ａ，１５ｂに骨補填材が充填された状態で開閉構造部１６を閉状態とすることにより内部管路１１に骨補填材が充填されたこととなる。即ち、内部管路１１に容易に骨補填材を収容することができる。
また、内部管路１１が略直線形状となっていることから、内部管路１１内に、プランジャを内部管路１１内で先端側に移動させる際に、抵抗となる箇所がなく、容易に先端側の開口から骨補填材を吐出させることができる。
【００２０】
なお、本実施形態においては、シリンダ１０として、略円筒形状を有するものを例示したが、これに限定されるものではなく、図２に示されるように、長手方向の一部に断面形状の異なる部分を有するシリンダ２０を採用してもよい。
【００２１】
すなわち、このシリンダ２０は、基端側に設けられた四角柱形状のシリンダ本体部２０ａと、先端側に設けられたノズル部２０ｂとを備えている。シリンダ本体部２０ａ及びノズル部２０ｂは、夫々軸方向に一定の円形状断面の管路を有している。シリンダ本体部２０ａの管路とノズル部２０ｂの管路とは、同一の内径を有し、両者が直線上に位置することで、シリンダ本体部２０ａ及びノズル部２０ｂの軸方向の全長にわたって一定の円形状断面である１つの内部管路２１を構成している。シリンダ本体部２０ａの基端側には、フランジ２２が設けられている。
【００２２】
このようにすることで、シリンダ本体部２０ａの外径を、ノズル部２０ｂに比して大きくできるほか、シリンダ本体部２０ａに剛性を持たせることができ、使用者が把持しやすく骨補填材の注入をより容易に行うことができる。
【００２３】
（第２の実施形態）
本発明の第２の実施形態に係る医療用ペースト注入器について、図面を参照して説明する。図３〜図１１に示すように、本実施形態に係る医療用ペースト注入器は、医療用ペーストが収容されるシリンダ部材（シリンダ）３０、シリンダ部材３０の医療用ペーストを吐出させるための管状のノズルを有する注入器本体５０とを備えている。
【００２４】
シリンダ部材３０は、図３〜図５に示すように、直方体形状をなし、それ自体が開閉構造部となっている。すなわち、シリンダ部材３０は、その長辺に沿う分割面３１ａ，３１ｂにより分割された２つの直方体から構成され、分割面３１ａ，３１ｂによって分割された一方の直方体３２ａ（図３、図４中の上部）が、他方の直方体３２ｂに対して蝶番３３により開閉可能となっている。
【００２５】
シリンダ部材３０には、該シリンダ部材３０を閉状態に維持するように直方体３２ａ，３２ｂを固定する錠３５が設けられている。錠３５は、直方体３２ａ側に設けられた突起３５ａと直方体３２ｂ側に設けられたリング３５ｂを備え、シリンダ部材３０の閉状態において、リング３５ｂを突起３５ａに引っ掛けることで、直方体３２ａ，３２ｂが密着し固定されるようになっている。
【００２６】
各分割面３１ａ，３１ｂには、短辺方向に等間隔で長辺方向に沿って断面半円形状の溝４１ａ，４２ａ，４３ａ，４１ｂ，４２ｂ，４３ｂが夫々３本ずつ並列して設けられている。開閉構造部、すなわち、シリンダ部材３０の閉状態において、分割面３１ａ，３１ｂが密着することで、溝４１ａと溝４１ｂ、溝４２ａと溝４２ｂ及び溝４３ａと溝４３ｂが、夫々略一定の横断面円形状かつ略直線状の内部管路部４１，４２，４３を形成するようになっている。
【００２７】
直方体３２ａの上面及び直方体３２ｂの下面には、夫々後述する注入器本体５０のノズル５１と、内部管路部４１，４２，４３とを位置決めするための、位置決め用溝３８ａ，３８ｂ及び位置決め用穴３９ａ，３９ｂが設けられている。なお、位置決め用穴３９ａ，３９ｂは、夫々内部管路部４１，４２，４３の数と同数設けられることが好ましく、本実施形態においては、夫々３つ設けられている。
【００２８】
注入器本体５０は、図６〜図８に示すように、本体部５２、ノズル５１及び把持部５３を備えている。
本体部５２は、シリンダ部材３０の厚さ寸法より若干大きな平行間隔をあけて配置された２つの平板部５２ａ，５２ｂと、これら平板部５２ａ，５２ｂを連結する連結板部５２ｃとから、図６の矢印の方向から見て略Ｕ字形状に形成され、シリンダ部材３０を挿入することができるようになっている。
【００２９】
ノズル５１は、本体部５２の連結板部５２ｃの略中央部に、連結板部５２ｃに直交する方向に突出するように設けられている。ノズル５１は、一定の円形状断面の管路を有し、該管路は連結板部５２ｃを厚さ方向に貫通して本体部５２の内面側に開口している。シリンダ部材３０の各内部管路部４１，４２，４３とノズル５１及び連結板部５２ｃの管路とは、同一の内径を有し、両者が直線上に位置することで、シリンダ部材３０及びノズル５１の軸方向の全長にわたって一定の円形状断面である１つの内部管路を構成するようになっている。
【００３０】
本体部５２の平板部５２ａ，５２ｂの内面には、図９に示されるように、夫々位置決め用突起５５ａ，５６ａ，５７ａ，５５ｂ，５６ｂ，５７ｂが出没可能に設けられている。これらの位置決め用突起５５ａ，５６ａ，５７ａ，５５ｂ，５６ｂ，５７ｂはバネ５８によって平板部５２ａ，５２ｂの内面から突出する方向に付勢されている。各位置決め用突起５５ａ，５６ａ，５７ａ，５５ｂ，５６ｂ，５７ｂは、平板部５２ａ，５２ｂの内面から、シリンダ部材３０の注入器本体５０への挿入方向（図６の矢印の方向）に従って突出するように傾斜する斜面を有している。
【００３１】
把持部５３は、使用者が使用時に注入器本体５０を把持できるように、注入器本体５０に設けられている。
プランジャ５９は、シリンダ部材３０の開口から内部管路部４１，４２，４３のいずれかに挿入され、ノズル５１の開口から収容物を押し出すようになっている。
【００３２】
このように構成された本実施形態に係る医療用ペースト注入器の作用を説明する。本実施形態に係る医療用ペースト注入器を用いて、例えば、骨補填材を骨欠損部や骨折部に注入する場合は、まず、骨補填材をシリンダ部材３０の内部管路４１，４２，４３に収容する。このとき、開閉構造部としてのシリンダ部材３０を図５に示されるような開状態として溝４１ａ，４２ａ，４３ａ，４１ｂ，４２ｂ，４３ｂを露出させ、溝４１ａ，４２ａ，４３ａ，４１ｂ，４２ｂ，４３ｂに骨補填材を充填する。溝４１ａ，４２ａ，４３ａ，４１ｂ，４２ｂ，４３ｂに骨補填材が充填された状態で、図３に示されるようにシリンダ部材３０を閉状態として、突起３５ａにリング３５ｂを引っ掛けることでシリンダ部材３０を固定し、分割面３１a，３１ｂを密着させる。これにより、溝４１ａと溝４１ｂ、溝４２ａと溝４２ｂ及び溝４３ａと溝４３ｂにより構成される内部管路部４１，４２，４３に骨補填材が充填されることとなる。
【００３３】
次いで、シリンダ部材３０を注入器本体５０に図６及び図１０の矢印の方向から挿入する。このとき、位置決め用突起５５ａが位置決め用溝３８ａを、位置決め用突起５５ｂが位置決め用溝３８ｂを夫々スライドする。そして、図７及び図１１に示すように、まず、各平板部５２ａ，５２ｂの夫々２つの位置決め用突起５７ａ，５６ａ及び位置決め用突起５７ｂ，５６ｂが２つの位置決め用穴３９ａ，３９ｂに挿入されたときに、内部管路部４３がノズル５１の管路と直線上に位置するように位置決めされる。
内部管路部４３とノズル５１とが位置決めされた状態で、内部管路部４３内に、プランジャ５９を挿入し、プランジャ５９をノズル５１側に移動させることにより、ノズル５１の開口から骨補填材を押し出す。そして、内部管路４３内の骨補填材の押し出しが終了した時点で、プランジャ５０を内部管路４３内から抜き出す。
【００３４】
次にシリンダ部材３０を図６及び図１０の矢印の方向に更に移動させると、位置決め用突起５５ａが位置決め用溝３８ａを、位置決め用突起５５ｂが位置決め用溝３８ｂを夫々スライドする。図８及び図９に示すように、全ての位置決め用突起５５ａ，５６ａ，５７ａ，５５ｂ，５６ｂ，５７ｂが全ての位置決め用穴３９ａ，３９ｂに挿入されたときに、内部管路部４２がノズル５１の管路と直線上に位置するように位置決めされる。ここで、内部管路部４２内に、プランジャ５９を挿入し、プランジャ５９をノズル５１側に移動させることにより、ノズル５１の開口から骨補填材を押し出し、その後プランジャ５０を内部管路４２から抜き出す。
【００３５】
同様に、再びシリンダ部材３０を図６及び図１０の矢印の方向に更に移動させると、位置決め用突起５５ａ，５６ａ，及び位置決め用突起５５ｂ，５６ｂが位置決め用穴３９ａ，３９ｂに挿入される。このとき、内部管路部４１がノズル５１の管路と直線上に位置するように位置決めされる。ここで、内部管路部４１内に、プランジャ５９を挿入し、プランジャ５９をノズル５１側に移動させることにより、ノズル５１の開口から骨補填材を押し出す。
このようにすることで、内部管路部４３，４２，４１からノズル５１を介して、骨欠損部や骨折部に対して医療用ペーストを連続的に注入することができる。
【００３６】
このように構成された医療用ペースト注入器によれば、溝４１ａ，４２ａ，４３ａ，４１ｂ，４２ｂ，４３ｂは、溝の軸方向に直交する方向に開口されているため、軸方向に押し入れる作業を行うことなく、溝に対して容易に骨補填材を充填することができる。さらに、開閉構造部としてのシリンダ部材３０を閉状態とすることで、溝４１ａと溝４１ｂ、溝４２ａと溝４２ｂ及び溝４３ａと溝４３ｂとが一体化し内部管路部４１，４２，４３が形成されるため、溝４１ａ，４２ａ，４３ａ，４１ｂ，４２ｂ，４３ｂに骨補填材が充填された状態でシリンダ部材３０を閉状態とすることにより内部管路４１，４２，４３に骨補填材が充填されたこととなる。即ち、内部管路部４１，４２，４３に容易に骨補填材を収容することができる。
【００３７】
また、シリンダ部材３０が、内部管路部４１，４２，４３を複数有していることから、充分な量の医療用ペーストをシリンダに収容することができる。内部管路部４１，４２，４３が、同一方向に並列して設けられており、位置決め用突起５５ａ，５６ａ，５７ａ，５５ｂ，５６ｂ，５７ｂ及び位置決め用穴３９ａ，３９ｂによって内部管路部４１，４２，４３とノズル５１とが順次直線上に位置するように位置決めされるため、複数の溝に収容された医療用ペーストを連続的に押し出すことができる。
【００３８】
さらに、内部管路部４１，４２，４３とノズル５１の管路とが略同径であることに加え、位置決め用突起５５ａ，５６ａ，５７ａ，５５ｂ，５６ｂ，５７ｂ及び位置決め用穴３９ａ，３９ｂによって内部管路部４１，４２，４３とノズル５１とが直線上に位置するように位置決めされるため、プランジャ５９を内部管路部内部４１，４２，４３からノズル５１側に移動させる際に、抵抗となる箇所がなく、容易に先端側の開口から骨補填材を吐出させることができる。
【００３９】
なお、上記した例では、位置決め用突起５５ａ，５６ａ，５７ａ，５５ｂ，５６ｂ，５７ｂ及び位置決め用穴３９ａ，３９ｂによって内部管路部４１，４２，４３とノズル５１とが順次直線上に位置するように位置決めしていたが、このような構成に限定されるものではなく、例えば、図１２に示すような構成としてもよい。
【００４０】
図１２に示す例では、シリンダ部材３０の直方体３２ｂの下面に、注入器本体５０のノズル５１と、内部管路部４１，４２，４３とを位置決めするための位置決め用溝６０ａ，６０ｂ，６０ｃ，６０ｄ，６０ｅが、内部管路部４１，４２，４３の並列方向と同方向に同一間隔で並列して設けられている。位置決め用溝６０ａ，６０ｂ，６０ｃ，６０ｄ，６０ｅは断面円形状の湾曲面を有する溝となっている。
本体部５２の平板部５２ｂの内部には、位置決め用突起６３が出没可能に設けられ、バネ６２によって平板部５２ｂの表面から突出する方向に付勢されている。位置決め用突起６３は、位置決め用溝６０ａ，６０ｂ，６０ｃ，６０ｄ，６０ｅの湾曲面と合致する形状に形成されている。
【００４１】
シリンダ部材３０を注入器本体５０に図１２の矢印方向に挿入すると、まず位置決め用突起６３が位置決め用溝６0ｅに挿入され、さらにシリンダ部材３０を矢印方向に移動させると、位置決め用突起６３が位置決め用溝６０ｄに挿入され、図１２に示すように、内部管路部４３がノズル５１の管路と同一直線上に並んで位置するように位置決めされる。また、シリンダ部材３０を矢印の方向に更に移動させると、位置決め用突起６３が位置決め用溝６０ｃに挿入され内部管路部４２がノズル５１の管路と同一直線上に並んで位置するように位置決めされる。同様に、再びシリンダ部材３０を矢印の方向に更に移動させると、位置決め用突起６３が位置決め用溝６０ｂに挿入され、内部管路部４１がノズル５１の管路と同一直線上に並んで位置するように位置決めされる。これにより上記と同様にして、内部管路部４１，４２，４３内の医療用ペーストを順次ノズル５１の管路内に押し出すことができる。
【００４２】
（第２の実施形態の変形例）
本発明の第２の実施形態の変形例に係る医療用ペースト注入器について、図１３及び図１４を参照して説明する。
本変形例の上記した第２の実施形態との相違点は、内部管路部４１，４２，４３とノズル５１とを位置決めするための構成であるため、以下、この点について説明し、第２の実施形態と同一の構成については同符号を付すと共にその説明を省略する。
【００４３】
図１３に示すように、シリンダ部材３０の直方体３２ａの内部管路部４１，４２，４３の両端側の両側面には、夫々注入器本体５０のノズル５１と内部管路部４１，４２，４３とを位置決めするための位置決め用突起６３が設けられている。また、直方体３２ｂの注入器本体５０と対向することとなる面には、磁石６６が設けられている。
【００４４】
注入器本体５０の本体部５２は、シリンダ部材３０の高さ寸法より若干大きな平行間隔をあけて配置された２つの平板部６４ａ，６４ｂと、これら平板部６４ａ，６４ｂを連結する連結板部６４ｃとから形成され、シリンダ部材３０を挿入することができるようになっている。シリンダ部材３０の直方体３２ｂと対向することとなる連結板部６４ｃの表面には、シリンダ部材３０の磁石６６と対向することとなる位置に、磁石６６との間に磁気吸引力を発生する磁石６７が設けられている。平板部６４ａ，６４ｂの対向面には、シリンダ部材３０に設けられた位置決め用突起６３が挿入される位置決め用凹部６８ａ，６８ｂ，６８ｃが設けられたスライド溝６９が夫々形成されている。
【００４５】
位置決め用凹部６８ａ，６８ｂ，６８ｃは、スライド溝６９の連結板部６４ｃ側の溝壁を凹ませることにより、スライド溝６９の長手方向に並んで設けられている。位置決め用凹部６８ａ，６８ｂ，６８ｃは、内部管路部４１，４２，４３と同一ピッチで形成されている。
【００４６】
平板部６４ｂの略中央部には、連結板部６４ｃと平行に突出するようにノズル５１が設けられている。平板部６４ａの略中央部には、プランジャ挿入孔６５が設けられ、プランジャ挿入孔６５を介してプランジャ５９をシリンダ部材３０の開口から内部管路部４１，４２，４３のいずれかに挿入することで、ノズル５１の開口から収容物を押し出すようになっている。把持部５３は、連結板部６４ｃから外側に突出するように設けられている。
【００４７】
このように構成された本実施形態に係る医療用ペースト注入器において、プランジャ挿入孔６５、シリンダ部材３０の内部管路部４１，４２，４３及びノズル５１を位置決めする場合は、シリンダ部材３０を注入器本体５０に図１３の矢印の方向から挿入する。このとき、シリンダ部材の磁石６６と注入器本体５０の磁石６７とが離れた状態で、位置決め用突起６３がスライド溝６９をスライドする。
【００４８】
そして、位置決め用突起６３が位置決め用凹部６８ａの位置に配置されたときに、シリンダ部材３０が注入器本体５０に対して、磁石６６と磁石６７との間の磁気吸引力により、両磁石６６，６７が近接する方向に移動させられて、位置決め用突起６３が位置決め用凹部６８ａに収容される。これにより、シリンダ部材３０が注入器本体５０に対して固定されるとともに、プランジャ挿入孔６５、内部管路部４３及びノズル５１の管路が同一直線上に位置するように位置決めされる。
【００４９】
内部管路４３内の骨補填材の押し出しが終了した後に、シリンダ部材３０を磁石６６，６７間の磁気吸引力に抗して注入器本体５０の連結板部６４ｃから離れる方向に移動させて、位置決め用突起６３と位置決め用凹部６８ａとの係合状態を解除し、シリンダ部材３０を図１３の矢印の方向に更に移動させると、位置決め用突起６３がスライド溝６９をスライドする。以下同様にして、位置決め用突起６３を位置決め用凹部６８ｂ、６８ｃに順次収容させて、プランジャ挿入孔６５、内部管路部４２及びノズル５１の管路を同一直線上に位置決めすることができる。そして、これにより、内部管路部４３，４２，４１からノズル５１を介して、骨欠損部や骨折部に対して医療用ペーストを連続的に注入することができる。
なお、磁石６６又は磁石６７は、何れか一方が磁石６６又は磁石６７の磁気吸引力により引き寄せられる磁性体とすることもできる。
【００５０】
（第３の実施形態）
本発明の第３の実施形態に係る医療用ペースト注入器について、図１５及び図１６を参照して説明する。本実施形態のシリンダ部材３０は、図１５及び図１６に示すように、分割面３１ａ，３１ｂにより分割された２つの円板部材７０ａ，７０ｂからなり、それ自体が開閉構造部となっている。
【００５１】
各分割面３１ａ，３１ｂには、直径方向に断面半円形状の溝４１ａ，４２ａ，４３ａ，４１ｂ，４２ｂ，４３ｂが３本ずつ夫々が中心で交差するように設けられている。開閉構造部、すなわち、シリンダ部材３０の閉状態において、分割面３１ａ，３１ｂが密着することで、溝４１ａと溝４１ｂ、溝４２ａと溝４２ｂ及び溝４３ａと溝４３ｂが、夫々略一定の横断面円形状かつ略直線状の内部管路部４１，４２，４３を形成するようになっている。
【００５２】
また、各分割面３１ａ，３１ｂには、夫々の円周側に等間隔に夫々６つの位置決め用凹部７２ａ，７２ｂが形成されており、シリンダ部材３０の閉状態において、分割面３１ａ，３１ｂが密着することで、位置決め用凹部７２ａと位置決め用凹部７２ｂとにより、位置決め用穴７２を構成するようになっている。
円板部材７０ａ，７０ｂの溝４１ａ〜４３ｂが形成されている面とは反対側の面の中心には、後述する注入器本体５０の軸受け（図示せず）に挿入される回転軸７１が夫々設けられている。
【００５３】
図１６に示すように、注入器本体５０には、使用者が使用時に注入器本体５０を把持できるように把持部５３が設けられている。注入器本体５０の把持部５３の上方には、本体部５２が設けられている。本体部５２は、シリンダ部材３０の厚さ寸法より若干大きな平行間隔をあけて配置された２つの平板部（図示せず）を備えている。各平板部は、互いに向かい合う面にシリンダ部材３０の回転軸７１を回転可能に保持する軸受（図示せず）及び、回転軸７１をスライドさせてシリンダ部材３０を移動させ、回転軸７１を軸受に挿入させるための軸受溝（図示せず）を夫々備えている。
【００５４】
シリンダ部材３０は、本体部５２に挿入されたときに、その回転軸７１が軸受け溝をスライドすることで所望の位置まで移動し、回転軸７１が軸受けに挿入された状態で、軸受け及び回転軸７０を介して注入器本体５０に回転可能に保持されるようになっている。また、本体部５２には、バネ７３を介して、位置決め用突起７４が設けられている。
【００５５】
位置決め用突起７４は、バネ７３により、本体部５２の内側に突出するように付勢され、本体部５２の表面から出没可能となっている。位置決め用突起７４は、シリンダ部材３０の回転方向に沿って傾斜する斜面を有している。位置決め用突起７４には、本体部５２の外側に突出するように摘み部７５が設けられ、摘み部７５を本体部５２の外側に引くことで、バネ７３を収縮させて位置決め用突起７４を本体部５２に収容するようになっている。
【００５６】
本体部５２と把持部５３との間には、把持部５３と直交する方向に突出するようにノズル５１が設けられている。ノズル５１は、一定の円形状断面の管路を有し、この管路が注入器本体５０を厚さ方向に貫通して本体部５２の内面側に開口することで、シリンダ部材３０の各内部管路部４１，４２，４３とノズル５１とが直線上に位置し、シリンダ部材３０及びノズル５１の軸方向の全長にわたって一定の円形状断面である１つの内部管路を構成するようになっている。
【００５７】
プランジャ５９は、シリンダ部材３０の開口から内部管路部４１，４２，４３のいずれかに挿入され、ノズル５１の開口から収容物を押し出すようになっている。
【００５８】
このように構成された本実施形態に係る医療用ペースト注入器の作用を説明する。本実施形態に係る医療用ペースト注入器を用いて、例えば、骨補填材を骨欠損部や骨折部に注入する場合は、まず、骨補填材をシリンダ部材３０の内部管路４１，４２，４３に収容する。すなわち、円板部材７０ａ，７０ｂを開状態として溝４１ａ，４２ａ，４３ａ，４１ｂ，４２ｂ，４３ｂを露出させ、溝４１ａ，４２ａ，４３ａ，４１ｂ，４２ｂ，４３ｂに骨補填材を充填する。溝４１ａ，４２ａ，４３ａ，４１ｂ，４２ｂ，４３ｂに骨補填材が充填された状態で、円板部材７０ａ，７０ｂを密着させる。これにより、溝４１ａと溝４１ｂ、溝４２ａと溝４２ｂ及び溝４３ａと溝４３ｂにより構成される内部管路部４１，４２，４３に骨補填材が充填されることとなる。
【００５９】
次いで、摘み部７５を外側に引いて、位置決め用突起７４を本体部５２に収容した状態で、シリンダ部材３０を注入器本体５０に図１６の矢印Ａの方向から挿入する。このとき、回転軸７１が図示しない軸受け溝をスライドすることでシリンダ部材３０が移動し、回転軸７１が軸受けに挿入されると、シリンダ部材３０が軸受け及び回転軸７０を介して注入器本体５０に回転可能に保持される。
【００６０】
骨欠損部や骨折部への骨補填材の注入は、何れかの位置決め用穴７２に位置決め用突起７４が挿入される状態まで、シリンダ部材３０を図１６の矢印Ｂ方向に回転させる。図１６の例では、内部管路４１がノズル５１の管路と直線上に位置するように位置決めされた状態を示している。内部管路部４１とノズル５１とが位置決めされた状態で、内部管路部４１内に、プランジャ５９を挿入し、プランジャ５９をノズル５１側に移動させることにより、ノズル５１の開口から骨補填材を押し出す。そして、内部管路４１内の骨補填材の押し出しが終了した時点で、プランジャ５０を内部管路４３内から抜き出す。
【００６１】
次にシリンダ部材３０を図１６の矢印Ｂの方向に更に回転させると、他の位置決め用突起７４が他の位置決め用穴７２に挿入され、内部管路部４２がノズル５１の管路と直線上に位置するように位置決めされる。ここで、内部管路部４２内に、プランジャ５９を挿入し、プランジャ５９をノズル５１側に移動させることにより、ノズル５１の開口から骨補填材を押し出し、その後プランジャ５０を内部管路４２から抜き出す。
【００６２】
同様に、再びシリンダ部材３０を図１６の矢印Ｂの方向に更に回転させると、更に他の位置決め用突起７４が更に他の位置決め用穴７２に挿入され、内部管路部４３がノズル５１の管路と直線上に位置するように位置決めされる。ここで、内部管路部４１内に、プランジャ５９を挿入し、プランジャ５９をノズル５１側に移動させることにより、ノズル５１の開口から骨補填材を押し出す。
このようにすることで、内部管路部４３，４２，４１からノズル５１を介して、骨欠損部や骨折部に対して医療用ペーストを連続的に注入することができる。
【００６３】
このように構成された医療用ペースト注入器によれば、シリンダ部材３０が、円形状をなしていることから、シリンダ部材３０を回転させることで、位置決め用突起７４及び位置決め用穴７２により内部管路部４１，４２，４３とノズル５１とが順次直線上に位置するように位置決めされるため、複数の溝に収容された医療用ペーストを連続的に押し出すことができる。
【００６４】
上記した各実施形態において、溝の形状を断面半円形状としたが、これに限定されるものではなく、例えば、断面四角形状などであってもよい。また、内部管路部の数は、必要とされる医療用ペーストの量によって適宜変更可能である。
また、溝は分割面のいずれか一方のみに形成されていてもよく、その場合には、溝の断面形状とプランジャの断面形状とが略一致すればよい。
【符号の説明】
【００６５】
１０  シリンダ
１１  内部管路
１４ａ，１４ｂ  分割面
１５ａ，１５ｂ  溝
１６  開閉構造部
２０  シリンダ
２０ａ  シリンダ本体部（注入器本体）
２０ｂ  ノズル部（ノズル）
２１  内部管路
３０  シリンダ部材（シリンダ）
３１ａ，３１ｂ  分割面
３８ａ，３８ｂ  位置決め用溝（位置決め手段）
３９ａ，３９ｂ  位置決め用穴（位置決め手段）
４１，４２，４３  内部管路部
４１ａ，４２ａ，４３ａ，４１ｂ，４２ｂ，４３ｂ  溝
５０  注入器本体
５１  ノズル
５５ａ，５６ａ，５７ａ，５５ｂ，５６ｂ，５７ｂ  位置決め用突起（位置決め手段）
６０ａ，６０ｂ，６０ｃ，６０ｄ，６０ｅ  位置決め用溝（位置決め手段）
６３  位置決め用突起（位置決め手段）
６８ａ，６８ｂ，６８ｃ  位置決め用凹部（位置決め手段）
７２  位置決め用穴（位置決め手段）
７２ａ，７２ｂ  位置決め用凹部（位置決め手段）
７４  位置決め用突起（位置決め手段）
【図１】
0005458381.tif 000002
【図２】
0005458381.tif 000003
【図３】
0005458381.tif 000004
【図４】
0005458381.tif 000005
【図５】
0005458381.tif 000006
【図６】
0005458381.tif 000007
【図７】
0005458381.tif 000008
【図８】
0005458381.tif 000009
【図９】
0005458381.tif 000010
【図１０】
0005458381.tif 000011
【図１１】
0005458381.tif 000012
【図１２】
0005458381.tif 000013
【図１３】
0005458381.tif 000014
【図１４】
0005458381.tif 000015
【図１５】
0005458381.tif 000016
【図１６】
0005458381.tif 000017